【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
特定の拡張分散チャネルアクセス(EDCA)パラメータセットを使用すべきデバイスのタイプを示すデバイスタイプサブフィールドを含む更新EDCA情報フィールドを含むEDCAパラメータセット要素を有するフレームを生成するように構成された処理システムであって、前記デバイスタイプサブフィールドは、少なくともセンサタイプデバイスおよび非センサタイプデバイスを含むEDCAをサポートする様々なデバイスタイプのグループからデバイスの前記タイプを特定する値を含む、処理システムと、
送信するための前記フレームを出力するように構成されたインターフェースと
を含む、装置。
【請求項２】
前記デバイスタイプサブフィールドは、前記EDCAパラメータセット要素によって与えられる情報がセンサタイプデバイスに有効であることを示すように第1の値に設定され、
前記デバイスタイプサブフィールドは、前記EDCAパラメータセット要素によって与えられる情報が非センサタイプデバイスに有効であることを示すように前記第1の値と異なる第2の値に設定される、
請求項1に記載の装置。
【請求項３】
前記デバイスタイプサブフィールドは、前記EDCAパラメータセット要素によって与えられる情報がセンサタイプのデバイスと非センサタイプのデバイスの両方に有効であることを示す値に設定される、
請求項1に記載の装置。
【請求項４】
前記デバイスタイプサブフィールドは、前記EDCAパラメータセット要素によって与えられる情報が2つ以上のデバイスのタイプに有効であることを示す値に設定される、
請求項1に記載の装置。
【請求項５】
デバイスの第1のタイプおよびデバイスの第2のタイプのうちの少なくとも1つまたは複数をサポートする基本サービスセット(BSS)に属し、
前記処理システムが、
デバイスの前記第1のタイプを示すデバイスタイプサブフィールドを含む更新EDCA情報フィールドを含む第1のEDCAパラメータセット要素を有するフレームを生成し、
デバイスの前記第2のタイプを示すデバイスタイプサブフィールドを含む更新EDCA情報フィールドを含む第2のEDCAパラメータセット要素を有する追加のフレームを生成するように構成され、
前記インターフェースがまた、送信するための前記追加のフレームを出力するためのものである、
請求項1に記載の装置。
【請求項６】
前記処理システムは、ワイヤレス媒体にアクセスするために競合のためのデフォルトEDCAパラメータセットを使用するように構成される、
請求項1に記載の装置。
【請求項７】
ワイヤレス通信のための装置であって、
特定の拡張分散チャネルアクセス(EDCA)パラメータセットを使用すべきデバイスのタイプを示すデバイスタイプサブフィールドを含む更新EDCA情報フィールドを含むEDCAパラメータセット要素を有するフレームを受信するためのインターフェースであって、前記デバイスタイプサブフィールドは、少なくともセンサタイプデバイスおよび非センサタイプデバイスを含むEDCAをサポートする様々なデバイスタイプのグループからデバイスの前記タイプを特定する値を含む、インターフェースと、
前記装置が前記デバイスタイプサブフィールドによって示されるデバイスの前記タイプである場合、前記特定のEDCAパラメータセットを使用して、前記装置のために、EDCA情報を更新するように構成された処理システムと
を含む、装置。
【請求項８】
前記装置は、センサタイプデバイスであり、前記処理システムは、前記デバイスタイプサブフィールドが、前記EDCAパラメータセット要素によって与えられる情報がセンサタイプデバイスに有効であることを示す第1の値に設定される場合、前記特定のEDCAパラメータセットを使用して前記装置のための前記EDCA情報を更新するように構成される、または、
前記装置は、非センサタイプデバイスであり、前記処理システムは、前記デバイスタイプサブフィールドが、前記EDCAパラメータセット要素によって与えられる情報が非センサタイプデバイスに有効であることを示す前記第1の値と異なる第2の値に設定される場合、前記特定のEDCAパラメータセットを使用して前記装置のための前記EDCA情報を更新するように構成される、
請求項7に記載の装置。
【請求項９】
前記処理システムは、前記デバイスタイプサブフィールドが、前記EDCAパラメータセット要素によって与えられる情報が、センサタイプのデバイスと非センサタイプのデバイスの両方に有効であることを示す値に設定される場合、前記特定のEDCAパラメータセットを使用して前記装置のための前記EDCA情報を更新するように構成される、請求項7に記載の装置。
【請求項１０】
前記処理システムは、前記デバイスタイプサブフィールドが、前記EDCAパラメータセット要素によって与えられる情報が、2つ以上のデバイスのタイプに有効であることを示す値に設定される場合、前記特定のEDCAパラメータセットを使用して前記装置のための前記EDCA情報を更新するように構成される、請求項7に記載の装置。
【請求項１１】
前記処理システムは、前記装置に対応するデバイスタイプの指示を有するフレームが受信されない場合、前記特定のEDCAパラメータセットと異なるデフォルトEDCAパラメータセットを使用するようにさらに構成される、請求項7に記載の装置。
【請求項１２】
装置によるワイヤレス通信のための方法であって、
前記装置において、特定の拡張分散チャネルアクセス(EDCA)パラメータセットを使用すべきデバイスのタイプを示すデバイスタイプサブフィールドを含む更新EDCA情報フィールドを含むEDCAパラメータセット要素を有するフレームを生成するステップであって、前記デバイスタイプサブフィールドは、少なくともセンサタイプデバイスおよび非センサタイプデバイスを含むEDCAをサポートする様々なデバイスタイプのグループからデバイスの前記タイプを特定する値を含む、ステップと、
送信のために前記フレームを出力するステップと
を含む、方法。
【請求項１３】
前記デバイスタイプサブフィールドは、前記EDCAパラメータセット要素によって与えられる情報がセンサタイプデバイスに有効であることを示すように第1の値に設定され、
前記デバイスタイプサブフィールドは、前記EDCAパラメータセット要素によって与えられる情報が非センサタイプデバイスに有効であることを示すように前記第1の値と異なる第2の値に設定される、
請求項12に記載の方法。
【請求項１４】
前記デバイスタイプサブフィールドは、前記EDCAパラメータセット要素によって与えられる情報がセンサタイプのデバイスと非センサタイプのデバイスの両方に有効であることを示す値に設定される、
請求項12に記載の方法。
【請求項１５】
前記デバイスタイプサブフィールドは、前記EDCAパラメータセット要素によって与えられる情報が2つ以上のデバイスのタイプに有効であることを示す値に設定される、
請求項12に記載の方法。
【請求項１６】
前記装置は、デバイスの第1のタイプおよびデバイスの第2のタイプのうちの少なくとも1つまたは複数をサポートする基本サービスセット(BSS)に属し、前記方法は、
デバイスの前記第1のタイプを示すデバイスタイプサブフィールドを含む更新EDCA情報フィールドを含む第1のEDCAパラメータセット要素を有するフレームと、デバイスの前記第2のタイプを示すデバイスタイプサブフィールドを含む更新EDCA情報フィールドを含む第2のEDCAパラメータセット要素を有する追加のフレームとを生成するステップと、
送信のために前記追加のフレームを出力するステップと
をさらに含む、請求項12に記載の方法。
【請求項１７】
ワイヤレス媒体にアクセスするために競合のためのデフォルトEDCAパラメータセットを使用するステップ
をさらに含む、請求項12に記載の方法。
【請求項１８】
装置によるワイヤレス通信のための方法であって、
前記装置において、特定の拡張分散チャネルアクセス(EDCA)パラメータセットを使用すべきデバイスのタイプを示すデバイスタイプサブフィールドを含む更新EDCA情報フィールドを含むEDCAパラメータセット要素を有するフレームを受信するステップであって、前記デバイスタイプサブフィールドは、少なくともセンサタイプデバイスおよび非センサタイプデバイスを含むEDCAをサポートする様々なデバイスタイプのグループからデバイスの前記タイプを特定する値を含む、ステップと、
前記装置が前記デバイスタイプサブフィールドによって示されるデバイスの前記タイプである場合、前記特定のEDCAパラメータセットを使用して、前記装置のために、EDCA情報を更新するステップと
を含む、方法。
【請求項１９】
前記更新するステップは、
前記デバイスタイプサブフィールドが、前記EDCAパラメータセット要素によって与えられる情報が、センサタイプデバイスに有効であることを示す第1の値に設定され、かつ前記装置がセンサタイプデバイスである場合、前記特定のEDCAパラメータセットを使用して前記装置のための前記EDCA情報を更新するステップ、または、
前記デバイスタイプサブフィールドが、前記EDCAパラメータセット要素によって与えられる情報が、非センサタイプデバイスに有効であることを示す、前記第1の値と異なる第2の値に設定され、かつ前記装置が非センサタイプデバイスである場合、前記特定のEDCAパラメータセットを使用して前記装置のための前記EDCA情報を更新するステップ
を含む、請求項18に記載の方法。
【請求項２０】
前記更新するステップは、
前記デバイスタイプサブフィールドが、前記EDCAパラメータセット要素によって与えられる情報が、センサタイプのデバイスと非センサタイプのデバイスの両方に有効であることを示す値に設定される場合、前記特定のEDCAパラメータセットを使用して前記装置のための前記EDCA情報を更新するステップ
を含む、請求項18に記載の方法。
【請求項２１】
前記更新するステップは、
前記デバイスタイプサブフィールドが、前記EDCAパラメータセット要素によって与えられる情報が、2つ以上のデバイスのタイプに有効であることを示す値に設定される場合、前記特定のEDCAパラメータセットを使用して前記装置のための前記EDCA情報を更新するステップ
を含む、請求項18に記載の方法。
【請求項２２】
前記装置に対応するデバイスタイプの指示を有するフレームが受信されない場合、前記特定のEDCAパラメータセットと異なるデフォルトEDCAパラメータセットを使用するステップ
をさらに含む、請求項18に記載の方法。
【請求項２３】
前記フレームを送信するように構成された送信機をさらに備え、前記装置はワイヤレスノードとして構成される、請求項1に記載の装置。
【請求項２４】
前記フレームを受信するように構成された受信機をさらに備え、前記装置は局として構成される、請求項7に記載の装置。